(57)【要約】【課題】  治療行為の内容に併せて、過去の症例を検索し、表示することが可能な類似症例表示装置を提供することを課題とする。【解決手段】  表示装置１は、類似症例２の検索等の処理をする処理装置本体５と、類似症例２を表示する液晶ディスプレイ６と、操作入力用のコンソール７と、種々の記録機器９とを具備して主に構成されている。そして、コンソール７から入力された治療行為の記録等に応じて過去の症例が蓄積された症例データベース１１から類似する類似症例２が検索され、リアルタイムで治療者等に示される。さらに、治療行為の記録等を受付ける度に類似症例２の検索が逐次実施され、表示される類似症例２を更新することができる。【選択図】        図１
2006268698.tif 000002
【特許請求の範囲】
【請求項１】
治療行為の手順が標準化された標準的治療プログラムに基づいて、前記治療行為に対応する治療行為提示情報を提示する治療行為提示手段と、
過去の症例、及び前記症例について実施した前記治療行為または発生したイベントの順序を含む症例情報を症例データベースに記憶する症例データベース記憶手段と、
提示される前記治療行為提示情報に同期して前記治療行為を時系列的にイベントインデックスに構造化して記録する治療行為記録手段と、
前記治療行為に関連するイベントを検出するイベント検出手段と、
記録された前記治療行為または受付けた前記イベントに基づいて、前記症例データベースから類似症例を検索する類似症例検索手段と、
検索された前記類似症例を表示する類似症例表示手段と
を具備することを特徴とする類似症例表示装置。
【請求項２】
前記類似症例検索手段は、
前記治療行為の記録または前記イベントの受付に応じて、前記類似症例の検索を逐次実施する逐次更新手段をさらに具備することを特徴とする請求項１に記載の類似症例表示装置。
【請求項３】
前記類似症例表示手段は、
前記治療行為提示情報の提示と連動し、検索された前記類似症例を同時に表示する連動表示手段をさらに具備することを特徴とする請求項１または請求項２に記載の類似症例表示装置。
【請求項４】
治療行為の手順が標準化された標準的治療プログラムに基づいて、前記治療行為に対応する治療行為提示情報を提示する治療行為提示手段、
過去の症例、及び前記症例について実施した前記治療行為または発生したイベントの順序を含む症例情報を症例データベースに記憶する症例データベース記憶手段、
提示される前記治療行為提示情報に同期して前記治療行為を時系列的にイベントインデックスに構造化して記録する治療行為記録手段、
前記治療行為に関連するイベントを検出するイベント検出手段、
記録された前記治療行為または受付けた前記イベントに基づいて、前記症例データベースから類似症例を検索する類似症例検索手段、
及び、検索された前記類似症例を表示する類似症例表示手段として、類似症例表示装置を機能させることを特徴とする類似症例表示プログラム。
【請求項５】
前記治療行為の記録または前記イベントの受付に応じて、前記類似症例の検索を逐次実施する逐次更新手段として、前記類似症例表示装置をさらに機能させることを特徴とする請求項４に記載の類似症例表示プログラム。
【請求項６】
前記治療行為提示情報の提示と連動し、検索された前記類似症例を同時に表示する連動表示手段として、前記類似症例表示装置をさらに機能させることを特徴とする請求項４または請求項５に記載の類似症例表示プログラム。
【発明の詳細な説明】
【技術分野】
【０００１】
本発明は、類似症例表示装置、及び類似症例表示プログラムに関するものであり、特に、標準的治療プログラムに基づいて実施した治療行為に係る実施内容または処置結果の入力を受付け、実施中の治療行為に類似する過去の症例を検索し、提示することが可能な類似症例表示装置、及び類似症例表示プログラムに関するものである。
【背景技術】
【０００２】
従来から、救急救命医療等の医療現場では、搬送された患者の状態を、治療者が的確に判断し、適切かつ迅速な治療を行うために、一連の治療行為の手順が予めフローチャート化され、それぞれの治療行為の具体的な内容や次の治療行為に遷移又は分岐する際の明確な条件が規定された標準的治療プログラム（例えば、ＡＣＬＳ及びＪＡＴＥＣ等）が採用され、使用されている。この標準的治療プログラムは、それぞれの治療行為が途切れることなく、流れに従って分岐または遷移の条件を確認可能なものである。そして、治療者は各治療行為において、患者の様態や治療に対する反応及び結果を確認し、次に実施する治療行為を分岐して提示される治療行為の中から決定し、その治療行為を実施する。このとき、ある治療行為から次の治療行為に遷移する的確な情報を治療者に対して提供することにより、治療者の判断ミスを防ぎ、治療を速やかに行えるようにすることができる。なお、ある治療行為から次の治療行為へ遷移する場合、治療者は患者の様態を心拍数、脈拍数、及び血圧等のバイタルサインから判断したり、意識レベルの有無、或いは外傷の様子や、Ｘ線写真の結果等の予め標準的治療プログラムによって規定された遷移条件によって判断を行っている。
【０００３】
ところで、治療者等は一般的な診療及び治療行為、または前述のような標準的治療プログラムに則った治療を行った後、個々の治療や処置の具体的内容、及び患者の既往歴等を記録するための患者毎のカルテを作成している。そして、この事後に行われるカルテ作成作業を簡略化する目的で、治療が実施される部屋の様子を電子データ化して医療情報として取得し、利用する電子カルテシステムの構築もなされている。さらに、治療室内における検査や処置等の様子を全体の映像及び細部の様子を音声情報として取得するシステム及び装置が既に開示されている（例えば、特許文献１参照）。また、治療行為とその病名との関連性をチェックするシステムも既に開示されている（例えば、特許文献２参照）。
【０００４】
【特許文献１】特開２００４−４１６０５号公報
【特許文献２】特開平８−１０１８７１号公報
【発明の開示】
【発明が解決しようとする課題】
【０００５】
しかしながら、上述した標準的治療プログラムに基づいた治療行為であっても、最終的な判断は医師または看護師等の知識及び過去の経験に基づいて行われていた。そのため、症例が希有な場合は、その症例に不慣れな治療者等が治療や処置を行う場合があった。特に、救急医療の現場では、迅速な判断を下す必要があり、このような状況では治療者の経験に基づいた適切な判断や処置を行うことが困難であった。さらに、治療の最中に過去の症例等を参酌することが可能なシステムや装置もほとんどなく、また標準的治療プログラムに従った治療行為と連携してこれらの情報が提供されることもなかった。特に、実施する治療行為と過去の症例との間の類似性を検索し、治療中にリアルタイムで治療に係る有益な情報を治療者等に提示し、治療行為を支援することが可能な装置、または該装置を機能させるプログラムはなかった。
【０００６】
そこで、本発明は上記実情に鑑み、標準的治療プログラムによって提示される治療行為の内容に連動し、蓄積された過去の症例等を検索及び表示することが可能な類似症例表示装置、及び類似症例表示プログラムを提供することを課題とするものである。
【課題を解決するための手段】
【０００７】
上記の課題を解決するため、本発明にかかる類似症例表示装置は、「治療行為の手順が標準化された標準的治療プログラムに基づいて、前記治療行為に対応する治療行為提示情報を提示する治療行為提示手段と、過去の症例、及び前記症例について実施した前記治療行為または発生したイベントの順序を含む症例情報を症例データベースに記憶する症例データベース記憶手段と、提示される前記治療行為提示情報に同期して前記治療行為を時系列的にイベントインデックスに構造化して記録する治療行為記録手段と、前記治療行為に関連するイベントを検出するイベント検出手段と、記録された前記治療行為または受付けた前記イベントに基づいて、前記症例データベースから類似症例を検索する類似症例検索手段と、検索された前記類似症例を表示する類似症例表示手段と」を具備するものから主に構成されている。
【０００８】
ここで、治療行為提示手段は、選定された標準的治療プログラムの各治療行為に対応する治療行為提示情報を、実際に治療行為を実施する治療者にその内容を具体的に提示するものであり、例えば、治療室内に設置された大型のディスプレイに治療内容を示す情報、或いは次の治療行為に遷移する際の判断基準となる条件等を表示し、その内容を確認しながら治療行為を行うことを可能とするものである。また、治療室に搬送されてからの経過時間、当該治療行為に遷移してからの時間等の情報も提示することも可能である。なお、ディスプレイ等を用いるものに限らず、治療行為の内容をスピーカ等を通じて音声で伝達したり、或いは治療行為の開始から所定時間を経過したことをアラーム等で報知することも可能である。
【０００９】
ここで、イベントインデックスとは、時系列に従って映像情報、音声情報、テキスト情報、またはセンサ情報等のような様々な情報から検出された多様なイベントを統合し、情報の種類やイベントの内容などを構造化して記録したものである。さらに、医学的な専門知識を活用することによって、各イベント間の関連性を含めて記録することができる。そして、イベントインデックスを参照することによって、イベントの分類や再生時の各種情報の選択などを行うことが可能となり、多様な情報の活用が容易となる。
【００１０】
一方、症例データベース記憶手段とは、過去に実施された症例及び医学教育に活用される一般的な医学知識に基づく代表的な症例についての治療行為の内容やそのときに発生したイベント（例えば、治療行為中の治療者の特定の動作、心電図モニター等の医療機器が記録した特徴的なセンサ信号）の実施順または受付順を含んだ症例情報をデータベース化して記憶したものであり、後述する類似症例を算出する際の基本的な情報が蓄積されている。また、類似症例検出手段とは、記録された治療行為またはイベント等から類似する症例を前述した症例データベースから症例情報を利用して検索するものである。
【００１１】
したがって、本発明の類似症例表示装置によれば、治療中の治療行為の記録または発生するイベントに基づいて、検索された治療行為等に類似する症例が症例データベースから検索され、検索結果が表示される。これにより、治療者は実際に実施している治療の結果と過去の症例とを比較し、今後の治療方針や発生する可能性の高いイベント等を把握することが可能となる。さらに、当該症例に不慣れな治療者等に対し、従来の症例に関する情報を提供し、適切な処置の支援が可能となる。
【００１２】
さらに、本発明にかかる類似症例表示装置は、上記構成に加え、「前記類似症例検索手段は、前記治療行為の記録または前記イベントの受付に応じて、前記類似症例の検索を逐次実施する逐次更新手段を」具備するものであっても構わない。
【００１３】
したがって、本発明の類似症例表示装置によれば、逐次更新手段によって治療行為の記録またはイベントの受付が検出される度に、逐次類似症例の検索がなされる。これにより、治療室には常に最新の情報に基づいて検出された最も可能性の高い症例が表示されることとなる。そのため、仮に治療の初期段階で提示された類似症例が、実施症例に合致しなかった場合でもその後の検索及び更新により、徐々に実施症例に近づいたものとなる。その結果、以後の治療方針等が明確となり、治療者による治療が進めやすくなる。
【００１４】
さらに、本発明にかかる類似症例表示装置は、上記構成に加え、「前記類似症例表示手段は、前記治療行為提示情報の提示と連動し、検索された前記類似症例を同時に表示する連動表示手段を」具備するものであっても構わない。
【００１５】
したがって、本発明の類似症例表示装置によれば、連動表示手段によって標準的治療プログラムの治療行為提示情報と、類似症例とを同時に表示可能となる。ここで、連動表示手段は、例えば、液晶ディスプレイ等の画面上を縦に二分割し、左半分の画面には治療行為提示情報に基づく内容及びイベントインデックスへの記録の様子を示し、右半分の画面には過去の類似症例を同一画面上に表示することが行われる。これにより、治療者は双方の内容を比較し、治療における類似点若しくは相違点を検討しながら、治療行為を進めることが可能となる。なお、治療行為提示情報と類似症例とは、同一画面上に表示する必要はなく、例えば、二台のモニタを並設し、それぞれに治療行為提示情報及び類似症例を連動して表示可能とするものであっても構わない。
【００１６】
一方、本発明にかかる類似症例表示プログラムは、上記構成に加え、「治療行為の手順が標準化された標準的治療プログラムに基づいて、前記治療行為に対応する治療行為提示情報を提示する治療行為提示手段、過去の症例、及び前記症例について実施した前記治療行為または発生したイベントの順序を含む症例情報を症例データベースに記憶する症例データベース記憶手段、提示される前記治療行為提示情報に同期して前記治療行為を時系列的にイベントインデックスに構造化して記録する治療行為記録手段、  前記治療行為に関連するイベントを検出するイベント検出手段、記録された前記治療行為または受付けた前記イベントに基づいて、前記症例データベースから類似症例を検索する類似症例検索手段、及び、検索された前記類似症例を表示する類似症例表示手段として、類似症例表示装置を機能させる」ものから主に構成されている。
【００１７】
さらに、本発明にかかる類似症例表示プログラムは、上記構成に加え、「前記治療行為の記録または前記イベントの受付に応じて、前記類似症例の検索を逐次実施する逐次更新手段として、前記類似症例表示装置を機能させる」ものであっても構わない。
【００１８】
さらに、本発明にかかる類似症例表示プログラムは、上記構成に加え、「前記治療行為提示情報の提示と連動し、検索された前記類似症例を同一画面上に表示する連動表示手段として、前記類似症例表示装置を機能させる」ものであっても構わない。
【００１９】
したがって、本発明の類似症例表示プログラムによれば、プログラムを実行することにより、類似症例表示装置に上述の作用を奏させることが可能となる。
【発明の効果】
【００２０】
治療行為に対応する類似症例を、記録された治療行為の結果や検出したイベントによって逐次検索し、治療者等に表示できる。これにより、類似症例を参照することができるため、当該症例に不慣れな治療者が適切な治療行為を行うための支援ができる。また、治療行為の結果等に基づいて治療行為が推定される度に逐次類似症例が検索されるため、常に最新の状況に応じた類似症例が表示される。
【発明を実施するための最良の形態】
【００２１】
次に本発明の一実施形態を示す類似症例表示装置１（以下、単に「表示装置１」と称す）について、図１乃至図５に基づいて説明する。ここで、図１は本実施形態の表示装置１の概略構成を示すブロック図であり、図２は標準的治療プログラム２２の各治療行為の流れの一例を示す説明図であり、図３は類似症例２を検索する際の類似度３を算出する算出例を模式的に示す説明図であり、図４は類似症例２を表示する表示画面４の一例を示す説明図であり、図５は表示装置１の処理の流れを示すフローチャートである。
【００２２】
本実施形態の表示装置１は、図１乃至図５に主として示すように、治療室に設置され、類似症例２の検索等の処理をする処理装置本体５と、処理装置本体５に接続し、検索された類似症例２の内容を表示画面４上に表示する液晶ディスプレイ６と、類似症例２を検索するために治療に係る処置結果や所見等をテキスト化した情報として入力するための操作入力用のコンソール７と、治療室に配され、治療行為を推定するために治療行為の記録やイベント等を映像、音声、医療機器のセンサ信号等を記録するための種々の記録機器９とを具備して主に構成されている。ここで、液晶ディスプレイ６が本発明における類似症例表示手段に相当し、コンソール７が本発明における入力端末に相当する。また、上述した記録機器９としては、映像情報を取得するビデオカメラ等の映像入力機器、音声情報を取得するマイクロフォン等の音声入力機器、バイタルサイン等の情報或いは除細動機等の治療器具の使用にかかる情報を取得するための各種医療機器のようなものを例示することができる。
【００２３】
さらに、処理装置本体５は、その機能的構成として、通常の医学的知識から判断される症例、その症例に対する過去の治療実績、及びその治療について行った具体的な治療内容及び治療行為中に発生した特定のイベント等が時系列に沿って順序付けられた症例情報１０をデータベース化した症例データベース１１を記憶する症例データベース記憶手段１２と、標準的治療プログラム２２の内容（実施内容、遷移条件等）を治療室内の治療者に提示するための治療行為提示情報１３を記憶したプログラム記憶手段１４と、治療行為提示情報１３を液晶ディスプレイ６及びスピーカ（図示しない）等を利用して提示する情報提示手段１５と、提示された治療行為提示情報１３に同期して、治療行為の結果を時系列的に並べ、経過時間、所見、実施した治療行為の記録等を構造化したイベントインデックス１７に記録する治療行為記録手段１８と、治療行為に対応する特定のイベントをコンソール７を介して受付け、イベントインデックス１７に記録するイベント受付手段１９と、治療行為の記録または受付けたイベントに基づいて症例データベース１１から類似症例２を検索する類似症例検索手段２０と、検索された類似症例２を標準的治療プログラム２２の治療行為提示情報１３若しくはイベントインデックス１７と同一画面上に並べて表示する連動表示手段２１と、治療行為の記録またはイベントの受付の度に類似症例２の検索を類似症例検索手段２０に基づいて実行し、類似症例２の表示を更新する逐次更新手段８とを具備して主に構成されている。なお、検索された類似症例２及びイベントインデックス１７は、データ記録手段２５にまとめて記録されている。なお、本実施形態の表示装置１で使用される処理装置装置本体５は、種々のデータを記録及び管理し、また情報の取得のための各種記録機器を選択的に制御するための機能を有するものであり、ここでは汎用のパーソナルコンピュータを応用して構築されている。したがって、これらの処理装置本体５は、ＣＰＵ等の演算回路、各種信号の送受を行うためのインターフェイス回路及びインターフェイス機器、及び取得した情報を記録し、保存するためのハードディスク及び半導体メモリ等の記憶媒体を含むハードウェア構成によって構築されている。ここで、情報提示手段１５が本発明における治療行為提示手段に相当し、イベント受付手段１９が本発明におけるイベント検出手段に相当する。なお、本実施形態では、コンソール７から入力される情報に基づいて類似症例２を検索するものを例示しているが、その他の情報（映像、または音声等）に基づいて検索を行うものであっても構わない。
【００２４】
ここで、症例データベース１１に記憶された症例情報１０には、図３に示すように、各症例毎に付された症例ＩＤ２３と、その症例について実施された過去の治療行為または発生したイベントの履歴が時系列に沿って記録された履歴データ２４が含まれている。治療行為またはイベントに基づいて類似症例を検索する算出例について例示すると、例えば、図２に示した気道確保のための標準的治療プログラム２２が実施される場合、診断または治療に係る行為として、＜Ａ＞意識障害の有無の判断、＜Ｂ＞用手的気道確保、＜Ｃ＞口腔内異物除去、＜Ｄ＞エアウエイ挿入、＜Ｅ＞気管挿管、＜Ｆ＞気管支ファイバーガイド下気管挿管、＜Ｇ＞気管切開、＜Ｈ＞輪状甲状靱帯穿刺がそれぞれの状況に応じて行われる。
【００２５】
ここで、治療行為記録手段１８若しくはイベント受付手段１９によって受付けた記録が、”意識障害→用手的気道確保→エアウエイ挿入”の順序で進んだ場合、”＜Ａ＞→＜Ｂ＞→＜Ｄ＞”として治療行為の記録が行われる。このとき、類似症例検索手段２０は、症例データベース１１に記憶された症例情報１０から、前述の履歴データ２４が同様に”＜Ａ＞→＜Ｂ＞→＜Ｄ＞”に類似する症例を検索する。例えば、図２に示すように、症例ＩＤ２３が”２００３１１２１”の場合、その履歴データ２４は、”＜Ａ＞→＜Ｂ＞→＜Ｃ＞→＜Ｅ＞→＜Ｇ＞”である。そのため、最初の二つの治療行為が重複していると判断され、類似度３＝２が付与される。同様にして、症例ＩＤ２３が”２００３１００９”の場合、”＜Ａ＞→＜Ｂ＞→＜Ｄ＞→＜Ｅ＞→＜Ｆ＞”となり、最初の三つの治療行為が重複していると判断され、類似度３＝３が付与される。同様に症例ＩＤ２３が”２００２０４０３”の場合、類似度３＝２が付与される。これにより、最も類似度３が高かった症例ＩＤ２３が”２００２１００９”が類似症例２として、液晶ディスプレイ６に表示されることとなる。なお、類似症例２の表示とともに同一画面上に算出された類似度３の値を同時に表示し、治療者にその類似症例２の信頼性に係る情報を提供するものであってもよい。
【００２６】
次に本実施形態の表示装置１の処理の流れについて、図４及び図５に基づいて説明する。ここで、図５のフローチャートにおけるステップＳ１からステップＳ１０が本発明における類似症例表示プログラムに相当する。
【００２７】
始めに、表示装置１を起動する（ステップＳ１）。そして、治療室に搬送された患者を治療者が診断し、搬送された状態の所見に基づいて使用する標準的治療プログラム２２が選定される。このとき、表示装置１は、コンソール７を介して選定された標準的治療プログラム２２の実行を指示する旨の入力を受付け、標準的治療プログラムを実行する（ステップＳ２）。これにより、標準的治療プログラムに規定された各治療行為についての治療内容及び遷移条件等を示す治療行為提示情報１３が液晶ディスプレイ６及びスピーカ（図示しない）と通じて治療室内の治療者に対して提示される（ステップＳ３）。
【００２８】
その後、提示された治療行為提示情報１３の内容を確認した治療者によって、当該治療行為が行われる。このとき、処理装置本体５は、実施される治療行為の記録または治療行為中の特定のイベントを、コンソール７等を利用して受付ける（ステップＳ４）。そして、受付けた治療行為の記録またはイベントから類似症例２を検索する（ステップＳ５）。ここで、類似症例２の検索は、図２及び図３に基づいて既に説明したように、過去の症例について記憶した症例情報１０の履歴データ２４に基づいて、実施する治療行為等との重複の程度を示す類似度３を算出することによって行っている。
【００２９】
そして、検索された結果、重複度が高いものを類似症例２として表示する（ステップＳ６）。このとき、図４に示すように、液晶ディスプレイ６に表示される類似症例２は、表示画面４を左右に二分割し、右分割画面２６に検索該当の類似症例２を類似度３の高い順から数候補を表示する。一方、左分割画面２７には標準的治療プログラム２２に従って提示された治療行為提示情報１３または治療行為等が時系列に沿って構造化して記録されたイベントインデックス１７が表示される。これにより、治療者は実際に行っている治療の内容及びその記録を左分割画面２７で確認し、さらに右分割画面２６で検索された類似症例２の内容を比較しながら確認することができる。
【００３０】
このとき、図４の画面左下に設けられた類似症例表示ボタン２８をクリックすることにより、上述した分割画面に類似症例２を表示することが可能であり、さらに、標準的治療プログラム２２に係る情報、或いは類似症例２に係る情報をそれぞれ単独で表示するように切替えることも勿論可能である。
【００３１】
類似症例２の表示後、処理装置本体５は、さらに治療行為の記録等の受付の有無を検出し（ステップＳ７）、受付けが有る場合（ステップＳ７においてＹＥＳ）、新たな治療行為の記録等に対する類似症例２を検索するための更新処理を行う（ステップＳ８）。さらに、具体的に説明すると、ステップＳ５の処理に戻り、類似症例２の検索を繰返す。これにより、治療行為毎に類似症例２が逐次検索され、検索結果が更新されるため、液晶ディスプレイ６に表示される類似症例２は常に最新の治療行為の記録またはイベントを反映したものとなる。そのため、また、検索を繰返すことにより、類似度３の値が高くなり、より実際の症例に近い過去の症例が検索される。そのため、治療者にとってさらに有益な情報が提供されることになる。
【００３２】
一方、治療行為の記録等の受付が検出されない場合（ステップＳ７においてＮＯ）、新たな治療行為の記録等の入力の受付けを継続するか否かの指示を検出し（ステップＳ９）、類似症例２の検索等を継続しない場合（ステップＳ９においてＹＥＳ）、表示装置１による処理を終了する（ステップＳ１０）。一方、類似症例２の検索等を継続する場合、ステップＳ４の処理に戻り、治療行為の記録、検索、表示の処理を継続する。
【００３３】
これにより、標準的治療プログラム２２に従って治療者が治療を行っている間、治療中の症例に類似する類似症例２が治療行為の記録等から検索され、その情報が治療者に対して示される。その結果、過去の症例や治療行為の方針等を確認しながら、治療者等によって治療行為が速やかに行われる。さらに、治療行為の記録等の受付けに応じて表示される類似症例２が逐次更新されることにより、常に現況の状況に合致した最適の類似症例２が表示される。その結果、類似度３の高い、信頼性の高い類似症例２が示されることになる。
【００３４】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３５】
すなわち、本実施形態の表示装置１において、類似度３の算出例として、過去の症例における治療行為等の履歴との重複度に基づいて類似症例２を検索するものを示したがこれに限定されるものではなく、その他の方法によって行うものであっても構わない。すなわち、標準的治療プログラム２２に従って実施される治療行為の中で、記録機器９によって取得される映像、音声、センサ等の各種情報からキーとなるイベントを検出し、検出されたイベントによって類似症例２を検索するものであってもよい。
【図面の簡単な説明】
【００３６】
【図１】表示装置の概略構成を示すブロック図である。
【図２】標準的治療プログラムの各治療行為の流れの一例を示す説明図である。
【図３】類似症例を検索する際の類似度を算出する算出例を模式的に示す説明図である。
【図４】類似症例を表示する表示画面の一例を示す説明図である。
【図５】表示装置の処理の流れを示すフローチャートである。
【符号の説明】
【００３７】
１  表示装置（類似症例表示装置）
２  類似症例
３  類似度
４  表示画面
５  処理装置本体
６  液晶ディスプレイ（治療行為提示手段）
７  コンソール
８  検索更新手段
９  記録機器
１０  症例情報
１１  症例データベース
１２  症例データベース記憶手段
１３  治療行為提示情報
１４  プログラム記憶手段
１５  情報提示手段（治療行為提示手段）
１７  イベントインデックス
１８  治療行為記録手段
１９  イベント受付手段（イベント検出手段）
２０  類似症例検索手段
２１  連動表示手段
２２  標準的治療プログラム
２３  症例ＩＤ
２４  履歴データ
２５  データ記録手段
２６  右分割画面
２７  左分割画面
２８  類似症例表示ボタン
【図１】
2006268698.tif 000003
【図２】
2006268698.tif 000004
【図３】
2006268698.tif 000005
【図４】
2006268698.tif 000006
【図５】
2006268698.tif 000007